(57)【要約】【課題】建物の廊下の端や部屋の端部等に戸で開閉される収納空間を構成する場合に好適な収納設備を提供すること。【解決手段】建物の対面両側壁５ａ，５ｂにそれぞれ縦側枠材１０ａ，１０ｂが取り付けられ、これら両縦側枠材１０ａ，１０ｂには蝶番１５，１６を介して前記対面両側壁５ａ，５ｂ間の収納空１間を開閉する戸８，９が取り付けられ、前記両縦側枠材１０ａ，１０ｂのそれぞれには、前記戸８，９で開閉される収納空間１内に架設される棚板やハンガーパイプ３８，３９等の収納空間用架設部材を支持する受け具２１Ｂを高さ調整自在に支持する柱状係止部が設けられた構成。【選択図】　　図２
2004076505.tif 000002
【特許請求の範囲】
【請求項１】
建物の対面両側壁にそれぞれ縦側枠材が取り付けられ、これら両縦側枠材の少なくとも一方には蝶番を介して前記対面両側壁間の収納空間を開閉する戸が取り付けられ、前記両縦側枠材のそれぞれには、前記戸で開閉される収納空間内に架設される棚板、ハンガーパイプ等の収納空間用架設部材を支持する受け具を高さ調整自在に支持する柱状係止部を設けて成る、収納設備。
【請求項２】
前記両縦側枠材間には、これら両縦側枠材間の間隔を規制する水平部材が架設されている、請求項１に記載の収納設備。
【請求項３】
前記水平部材は、両縦側枠材間の中間高さに架設されている、請求項２に記載の収納設備。
【請求項４】
前記戸として、両縦側枠材の一方に蝶番を介して取り付けられた折れ戸が設けられ、この折れ戸の遊端部の移動経路を規制するガイドレールが前記水平部材に取り付けられている、請求項２又は３に記載の収納設備。
【請求項５】
前記戸として、両縦側枠材のそれぞれに蝶番を介して取り付けられた２つの戸が設けられ、この両戸が閉じ位置にあるときに両戸の遊端部の内側に位置する中間柱状部材が、その上端が前記水平部材の下側に結合される状態で立設されている、請求項２〜４の何れかに記載の収納設備。
【請求項６】
前記中間柱状部材にも前記受け具を高さ調整自在に支持する柱状係止部が設けられている、請求項５に記載の収納設備。
【請求項７】
前記中間柱状部材の柱状係止部は、左右二列に設けられている、請求項６に記載の収納設備。
【請求項８】
前記両縦側枠材が収納空間側に倒れるのを防止する倒れ防止手段が併設されている、請求項１〜７の何れかに記載の収納設備。
【請求項９】
前記倒れ防止手段は、両側辺が前記対面両側壁に支持固定された棚板で構成されている、請求項８に記載の収納設備。
【請求項１０】
前記倒れ防止手段は、後端部が前記収納空間の奥端に設置されたユニット棚の棚板で構成されている、請求項８に記載の収納設備。
【発明の詳細な説明】
【０００１】
【発明の属する技術分野】
本発明は、建物の廊下の端や部屋の端部等に戸で開閉される収納空間を形成して成る、作り付けの収納設備に関するものである。
【０００２】
【従来の技術】
建物の廊下の端や部屋の端部等に戸で開閉される収納空間を形成する場合、当該収納空間の両側に位置する建物の対面両側壁にそれぞれ縦側枠材を取り付け、この両縦側枠材の少なくとも一方に蝶番を介して前記収納空間を開閉する戸を取り付けることになるが、収納空間には、棚板やハンガーパイプ等の各種架設部材が必要であり、従来は、この収納空間内の架設部材を前記対面両側壁に支持させていた。
【０００３】
上記のような従来の構成では、特に既設建物のリフォームに際して廊下の端や部屋の端部等に収納空間を作る場合、当該収納空間の両側壁は、強度面や精度の面で問題のある既設建物の壁となり、この既設建物の壁に棚板やハンガーパイプ等の各種架設部材を支持させなければならないので、当該既設建物の壁を補強したり、内側に壁を新設する必要が生じ、コストがかかる欠点があった。
【０００４】
【課題を解決するための手段】
本発明は上記のような従来の問題点を解消し得る収納設備を提供することを目的とするものであって、その手段を後述する実施形態の参照符号を付して示すと、建物の対面両側壁５ａ，５ｂにそれぞれ縦側枠材１０ａ，１０ｂが取り付けられ、これら両縦側枠材１０ａ，１０ｂの少なくとも一方には蝶番１５，１６を介して前記対面両側壁５ａ，５ｂ間の収納空１間を開閉する戸８，９が取り付けられ、前記両縦側枠材１０ａ，１０ｂのそれぞれには、前記戸８，９で開閉される収納空間１内に架設される棚板、ハンガーパイプ等の収納空間用架設部材を支持する受け具２１Ａ，２１Ｂを高さ調整自在に支持する柱状係止部２２を設けた構成となっている。
【０００５】
上記構成の本発明を実施する場合、前記両縦側枠材１０ａ，１０ｂ間には、これら両縦側枠材１０ａ，１０ｂ間の間隔を規制する水平部材１１を架設することが出来る。この場合、当該水平部材１１は、両縦側枠材１０ａ，１０ｂ間の中間高さに架設することが出来る。又、前記戸として、両縦側枠材１０ａ，１０ｂの一方に蝶番１５を介して取り付けられた折れ戸８を設ける場合、この折れ戸８の遊端部の移動経路を規制するガイドレール１７を前記水平部材１１に取り付けることが出来る。
【０００６】
又、前記戸として、両縦側枠材１０ａ，１０ｂのそれぞれに蝶番１５，１６を介して取り付けられた２つの戸８，９を設ける場合、この両戸８，９が閉じ位置にあるときに両戸８，９の遊端部の内側に位置する中間柱状部材１２を、その上端が前記水平部材１１の下側に結合される状態で立設することが出来る。この場合、当該中間柱状部材１２にも、前記受け具２１Ａ，２１Ｂを高さ調整自在に支持する柱状係止部２３を設けることが出来るが、この中間柱状部材１２の柱状係止部２３は、左右二列に設けるのが望ましい。
【０００７】
更に、前記両縦側枠材１０ａ，１０ｂが収納空間１側に倒れるのを防止する倒れ防止手段を併設することが出来る。この倒れ防止手段は、両側辺が前記対面両側壁５ａ，５ｂに支持固定された棚板４２や、前記収納空間１の奥端に設置されたユニット棚３２の棚板３５で構成することが出来る。
【０００８】
【発明の実施の形態】
以下に本発明の好適実施形態を添付図に基づいて説明すると、図１〜図４に於いて、１は既設建物の廊下の端部や室の端部等に本発明に従って形成される収納空間であって、既設建物の床２、天井３、後端壁４、及び左右両側壁５ａ，５ｂと、左右両側壁５ａ，５ｂ間に配設した開閉扉６で構成されている。
【０００９】
開閉扉６は、枠組立体７と２つの戸８，９とから構成されている。枠組立体７は、左右両側壁５ａ，５ｂの内側に垂直に固定された縦側枠材１０ａ，１０ｂと、この両縦側枠材１０ａ，１０ｂ間の高さ方向中央より上端寄り高さに架設された水平部材１１と、上端が水平部材１１と結合されると共に下端が床２に結合された状態で垂直に立設された中間柱状部材１２とから構成されている。この中間柱状部材１２は、左右横方向の巾（厚さ）が縦側枠材１０ａ，１０の略２倍のものである。
【００１０】
２つの戸８，９の一方は折れ戸８であり、他方は通常の片開き戸９である。折れ戸８は、２枚の戸本体１３ａ，１３ｂを蝶番１４で折り重ね展開自在に連結したもので、一側辺が蝶番１５により一方の縦側枠材１０ａに取り付けられている。片開き戸９は、その一側辺が蝶番１６により他方の縦側枠材１０ｂに取り付けられている。これら折れ戸８及び片開き戸９を水平部材１１の外側に重なるように閉じたときに収納空間１が閉じられるが、このとき各戸８，９の遊側辺は、中間柱状部材１２の前面に左右に隣接する状態で重なる。
【００１１】
前記折れ戸８には、その遊側辺が水平部材１１の外側に近接した状態で当該水平部材１１に沿って移動するように規制するガイドレールが必要であるが、この実施形態では、当該ガイドレールとして、図示のように水平部材１１の下側で後側辺に沿って取り付けられたガイドレール１７が使用されている。１８は、当該ガイドレール１７に移動方向２つの垂直軸ローラー１９を介して係合する係合体であって、蝶番２０を介して折れ戸８の遊側辺内側に取り付けられている。
【００１２】
尚、図２Ａに仮想線で示すように、折れ戸８を折り畳んで収納空間１を開いたとき、折れ戸８の折り畳み巾を狭める等の関係から、図２Ｂに示すように、係合体１８を折れ戸８側に取り付ける蝶番２０の軸心位置や係合体１８の垂直軸ローラー１９を出来る限り折れ戸８の遊側辺に近づけなければならないため、係合体１８には、折れ戸８を閉じたときに中間柱状部材１２の側辺部が嵌入する凹部１８ａが設けられると共に、ガイドレール１７は中間柱状部材１２の背面側に入り込むように設けられ、折れ戸８が閉じたとき、係合体１８の一部（外側の垂直軸ローラー１９の部分）が中間柱状部材１２の背面側に入り込むと共に蝶番２０の軸心部が中間柱状部材１２の前面側に重なるように構成されている。従って、中間柱状部材１２の前面は、左右両縦側枠材１０ａ，１０ｂ及び水平部材１１の前面より奥側に一段凹んでいる。
【００１３】
前記ガイドレール１７は、図３Ｂに示すように、一部が水平部材１１に埋設されるように取り付けているが、ガイドレール１７の全体を水平部材１１の下側面に直付けしても良い。又、ガイドレール１７として、垂直軸ローラー１９を真下には外せない断面形状のものを使用しているが、下側開放の溝形レール材を使用しても良い。
【００１４】
左右両縦側枠材１０ａ，１０ｂ及び中間柱状部材１２には、図５及び図６に示すように、棚板やハンガーパイプ等の収納空間用架設部材を支持する受け具２１Ａ，２１Ｂを高さ調整自在に支持する柱状係止部２２，２３が設けられている。この実施形態に於ける柱状係止部２２，２３は、横断面コ字形の金属製柱状部材２４，２５を左右両縦側枠材１０ａ，１０ｂ及び中間柱状部材１２の背面側に形成された凹溝部２６，２７に、当該柱状部材２４，２５の背板部２４ａ，２５ａと左右両縦側枠材１０ａ，１０ｂ及び中間柱状部材１２の背面とが面一になるように埋設することにより構成され、左右両縦側枠材１０ａ，１０ｂ側の柱状部材２４の背板部２４ａには、当該柱状部材２４の長さ方向に長い係止用長孔２８が縦一列に等間隔おきに設けられている。巾広の中間柱状部材１２側の柱状部材２５は巾広であって、柱状係止部２３が左右２列となるように、その背板部２５ａには、当該柱状部材２５の長さ方向に長い係止用長孔２９，３０が左右二列に長さ方向等間隔おきに設けられている。
【００１５】
尚、左右両縦側枠材１０ａ，１０ｂや中間柱状部材１２が金属製角パイプ材から構成されるときは、これら左右両縦側枠材１０ａ，１０ｂや中間柱状部材１２の背板部に直接係止用長孔２８〜３０を形成して柱状係止部２２，２３を構成することも出来る。
【００１６】
先に説明したように、中間柱状部材１２の前面が左右両縦側枠材１０ａ，１０ｂ及び水平部材１１の前面より奥側に一段凹んでいるので、折れ戸８や片開き戸９を閉じたとき、これら各戸８，９の遊側辺と中間柱状部材１２の前面との間には隙間が生じ、閉じた戸８，９の遊側辺下端の位置が不安定になる。従って、図７に示すように、中間柱状部材１２の下端前面には前記隙間を埋める戸当たり部材３１を配設するのが望ましい。この戸当たり部材３１は、特に折れ戸８の開閉に影響しないように角部３１ａを曲面に成形した合成樹脂製のものであって、中間柱状部材１２の下端と床２との間に挟まる取付座部３１ｂを備えている。
【００１７】
図示の実施形態では、収納空間１内には後端壁４に隣接させてユニット棚３２が配設されている。このユニット棚３２は、左右両側壁５ａ，５ｂに隣接する両側板３３ａ，３３ｂ、中間柱状部材１２の真後ろに位置する中間仕切り板３４、両側板３３ａ，３３ｂ及び中間仕切り板３４に支持される最上段棚板３５、片側の側板３３ａと中間仕切り板３４との間に架設された上下２段の棚板３６，３７から構成されている。而して、最上段棚板３５は、その前端縁が水平部材１１に隣接する奥行き寸法を有すると共に上面が水平部材１１の上面と略面一になる高さに配設され、最下段棚板３７は、その前端縁が片側の縦側枠材１０ａと中間柱状部材１２とに隣接する奥行き寸法を有する。
【００１８】
上記ユニット棚３２の最上段棚板３５の前端部を支持するために、左右両縦側枠材１０ａ，１０ｂの柱状係止部２２と中間柱状部材１２の柱状係止部２３とに、同一レベルで３つの棚受け具２１Ａが取り付けられ、最下段棚板３７の前端部を支持するために、片側の縦側枠材１０ａの柱状係止部２２と中間柱状部材１２の柱状係止部２３とに、同一レベルで２つの棚受け具２１Ａが取り付けられている。又、最上段棚板３５と最下段棚板３７との中間レベルで、片側の縦側枠材１０ａと中間柱状部材１２との間、及び中間柱状部材１２と他方の縦側枠材１０ｂとの間には、ハンガーパイプ３８，３９の両端を支持するそれぞれ左右一対のハンガーパイプ受け具２１Ｂが柱状係止部２２，２３を利用して取り付けられている。
【００１９】
各受け具２１Ａ，２１Ｂは、図５に示すように、左右両縦側枠材１０ａ，１０ｂの柱状係止部２２や中間柱状部材１２の柱状係止部２３の係止用長孔２８〜３０の上下方向に適当距離離れた２つの係止用長孔２８〜３０に係合可能な上下２つの鉤形係止部４０ａ，４０ｂを備えており、当該鉤形係止部４０ａ，４０ｂを係合させる係止用長孔２８〜３０を選択することにより、左右両縦側枠材１０ａ，１０ｂや中間柱状部材１２の任意の高さに取り付けることが出来る。勿論、中間柱状部材１２には、同一レベルで２つの受け具２１Ａ又は２１Ｂを取り付けることが出来る。
【００２０】
上記のように構成された収納設備では、折れ戸８や片開き戸９を開くことにより、内部の収納空間１内のユニット棚３２の各段棚板３５〜３７やハンガーパイプ３８，３９を利用して物品の保管が行える。又、奥行き寸法が大きく且つユニット棚３２から前方に大きく張り出す棚板３５，３７も、その前端部が棚受け具２１Ａ、左右両縦側枠材１０ａ，１０ｂ、中間柱状部材１２等を介して床２に支持されているので、重量物も安全に安定良く支持出来る。更に、ユニット棚３２側の棚板３５，３７が、左右両縦側枠材１０ａ，１０ｂ、水平部材１１及び中間柱状部材１２から成る枠組立体７と後端壁４との間に介在し、左右両縦側枠材１０ａ，１０ｂと左右両側壁５ａ，５ｂとの結合力が多少弱くとも、当該枠組立体７が荷重（上記実施形態の場合はハンガーパイプ３８，３９にかかる荷重）によって後端壁４側に倒れるのを阻止している。換言すれば、上記実施形態の場合、枠組立体７（両縦側枠材１０ａ，１０ｂ等）が収納空間１側に倒れるのを防止する倒れ防止手段がユニット棚３２の棚板３５，３７で構成されていることになる。
【００２１】
上記実施形態のように、収納空間１内にユニット棚３２が配設されない場合、図８に示すように、上記のようにして左右両縦側枠材１０ａ，１０ｂや中間柱状部材１２の任意の高さに取り付けた同一レベルの３つ又は２つの棚受け具２１Ａのみで棚板４１を支持することが出来る。又、枠組立体７（両縦側枠材１０ａ，１０ｂ等）が収納空間１側に倒れるのを防止する倒れ防止手段として、当該枠組立体７の上半部領域の後側面、例えば水平部材１１の後側面と後端壁４との間を埋める棚板４２を、その左右両側辺を両側壁５ａ，５ｂに固着した棚受け材４３で支持する方法で架設することも出来る。勿論、前記倒れ防止手段としては、棚板３５，３７，４２に限定されるものではなく、図８に併記したように、枠組立体７（両縦側枠材１０ａ，１０ｂ等）の上端背面に当接する部材４４を両側壁５ａ，５ｂや天井３に固着して構成することも出来る。
【００２２】
尚、左右両縦側枠材１０ａ，１０ｂの上端間や下端間に、前記水平部材１１に代えて、又は当該水平部材１１とは別に、水平部材を架設することも出来る。而して、左右両縦側枠材１０ａ，１０ｂの上端間に架設された水平部材がある場合、この上端の水平部材に折れ戸８のガイドレール１７を支持させることも出来る。又、中間柱状部材１２は必須のものではなく、両側壁５ａ，５ｂ間の間隔が狭い場合等、状況によっては省くことが出来る。更に、収納空間１を開閉する戸の枚数や種類は、両側壁５ａ，５ｂ間の間隔等に応じて任意に変更出来る。例えば、両側壁５ａ，５ｂ間の間隔が狭い場合には、縦側枠材１０ａ，１０ｂの内の一方に取り付けられた１つの戸（折れ戸８又は片開き戸９）で収納空間１を開閉することも出来る。勿論、両縦側枠材１０ａ，１０ｂにそれぞれ取り付けられた２枚の片開き戸から成る観音開き戸を使用することも出来るが、このように折れ戸８を使用しない場合は、左右両縦側枠材１０ａ，１０ｂ間をつなぐ水平部材はなくとも良い。
【００２３】
【発明の効果】
本発明は以上のように実施することが出来るものであって、係る本発明の収納設備によれば、建物の対面両側壁にそれぞれ取り付けられ且つ少なくとも一方で戸を支持する縦側枠材に、前記戸で開閉される収納空間内に架設される棚板、ハンガーパイプ等の収納空間用架設部材を支持する受け具を高さ調整自在に支持する柱状係止部を設けたので、建物の対面両側壁に直接棚板やハンガーパイプ等を支持させる必要がなくなり、建物の対面両側壁の構造や構成材料の関係で強固に棚板やハンガーパイプ等を支持させることが困難な場合でも、対荷重性能が高く安全に利用出来る棚板やハンガーパイプ等を備えた収納空間を簡単に構成することが出来る。又、建物の対面両側壁に高さ調整可能に棚板やハンガーパイプ等を支持させるための専用部材を別途取り付けなければならない場合に比較して、安価に実施出来る。
【００２４】
尚、請求項２に記載の構成によれば、建物の対面両側壁に取り付けられた両縦側枠材間の間隔が水平部材で規制されるので、建物の対面両側壁に対する両縦側枠材の取付強度が多少低くても、両縦側枠材が建物の対面両側壁から離れて内側へ倒れるのを確実に防止出来、強度アップにつながる。又、当該水平部材を上下複数段（上端間や下端間に架設される水平部材を含む）に架設するときは、建物の対面両側壁の平行度（垂直度）が多少低くとも、両縦側枠材自体の平行度（垂直度）は高めて、蝶番による戸の取り付けを容易にすることが出来る。
【００２５】
又、上記のように水平部材を架設する場合、請求項３に記載の構成によれば、１つの水平部材を使用しながら両縦側枠材間の間隔の規制を容易に行えるので、経済的である。更に、請求項４に記載の構成によれば、左右両縦側枠材と水平部材とから成る枠組立体に折れ戸遊端部の移動経路を規制するガイドレールも組み付けることが出来るので、全体の構成が簡単になり、建物への組み付け作業も容易でしかも折れ戸の精度も高めることが出来る。
【００２６】
又、請求項５に記載の構成は、建物の対面両側壁間の間隔が広くて左右２つの戸で収納空間を開閉しなければならない場合に好適であり、両戸が閉じられたときの両戸間の隙間を塞ぐのに利用出来る中間柱状部材で、長さが長くなる水平部材の中間を支持させて、全体の強度アップを図ることが出来る。
【００２７】
更に、請求項６に記載の構成によれば、建物の対面両側壁間の間隔が広くて棚板やハンガーパイプ等の長さが長くなる場合に、これら棚板やハンガーパイプ等の中間位置も受け具で支持させることが出来、やはり全体の強度アップを図ることが出来る。この場合、請求項７に記載の構成によれば、同一レベルで架設される棚板やハンガーパイプ等を中間柱状部材の位置で左右に分割することが出来る。
【００２８】
又、請求項８に記載の構成によれば、両縦側枠材に作用する荷重で当該両縦側枠材が収納空間側に倒れるのを倒れ防止手段で防止することが出来るので、両縦側枠材が取り付けられる建物の対面両側壁の構造や構成材料の関係で当該縦側枠材の取り付け強度を十分に高めることが出来ないような状況でも、両縦側枠材で支持される棚板やハンガーパイプ等の対荷重性能を高めることが出来る。この場合、請求項９や請求項１０に記載の構成によれば、両側辺が建物の対面両側壁に支持固定された棚板や、後端部が前記収納空間の奥端に設置されたユニット棚の棚板を利用して、前記倒れ防止手段を簡単に構成することが出来る。
【図面の簡単な説明】
【図１】戸を除いた状態での正面図である。
【図２】Ａ図は戸を取り付けた状態での横断平面図であり、Ｂ図はＡ図の一部分の拡大横断平面図である。
【図３】Ａ図は戸を除いた状態での縦断側面図であり、Ｂ図はＡ図の一部分の拡大横断平面図である。
【図４】全体の分解斜視図である。
【図５】Ａ図は両縦側枠材の柱状係止部に於ける受け具の支持構造を示す要部の縦断背面図であり、Ｂ図は同縦断側面図であり、Ｃ図は同横断平面図である。
【図６】中間柱状部材の柱状係止部を示す横断平面図である。
【図７】Ａ図は折れ戸と片開き戸が閉じた状態での一部分を示す横断平面図であり、Ｂ図は同側面図である。
【図８】別の実施形態を示す、戸を除いた状態での縦断側面図である。
【符号の説明】
１　　収納空間
２　　既設建物の床
３　　既設建物の天井
４　　既設建物の後端壁
５ａ，５ｂ　　既設建物の左右両側壁
６　　開閉扉
７　　枠組立体（開閉扉）
８　　折れ戸（開閉扉）
９　　片開き戸（開閉扉）
１０ａ，１０ｂ　　左右両側壁（枠組立体）
１１　　水平部材（枠組立体）
１２　　中間柱状部材（枠組立体）
１３ａ，１３ｂ　　戸本体（折れ戸）
１４，１５，１６，２０　　蝶番
１７　　ガイドレール（折れ戸）
１８　　係合体（折れ戸）
１９　　垂直軸ローラー（係合体）
２１Ａ　　棚受け具
２１Ｂ　　ハンガーパイプ受け具
２２，２３　　柱状係止部
２４，２５　　金属製柱状部材
２８〜３０　　係止用長孔
３１　　戸当たり部材
３２　　ユニット棚
３５〜３７，４１，４２　　棚板
３８，３９　　ハンガーパイプ
４０ａ，４０ｂ　　受け具の鉤形係止部
【図１】
2004076505.tif 000003
【図２】
2004076505.tif 000004
【図３】
2004076505.tif 000005
【図４】
2004076505.tif 000006
【図５】
2004076505.tif 000007
【図６】
2004076505.tif 000008
【図７】
2004076505.tif 000009
【図８】
2004076505.tif 000010